(57)【要約】      （修正有）【課題】内容物の取出し操作が視覚的に容易であるヒンジキャップ付容器を提供する。【解決手段】容器本体１の口部２に装着されるヒンジキャップ３のキャップ本体４と、該キャップ本体に回転自在に取付られる蓋体基部５と、該蓋体基部と引張帯付ヒンジを介して連結され、引張帯付ヒンジを支点としてキャップ本体の開口部を開閉する蓋体６とから成り、（ａ）前記キャップ本体は、容器本体の口部に螺合又は嵌合される内筒１０と、係合溝を有する外筒１１と、前記内筒から上に伸びるノズル部１４とから成り、（ｂ）前記蓋体基部は、キャップ本体のノズル部外周に、回転自在に係合される円形係合部１７を有し、（ｃ）前記蓋体は、その中心に針体１８を有することを特徴とするヒンジキャップ付容器。【選択図】図２
2009184709.tif 000002
【特許請求の範囲】
【請求項１】
容器本体の口部に装着されるヒンジキャップのキャップ本体と、該キャップ本体に回転自在に取付られる蓋体基部と、該蓋体基部と引張帯付ヒンンジを介して連結され、引張帯付ヒンジを支点としてキャップ本体の開口部を開閉する蓋体とから成り、
（ａ）前記キャップ本体は、容器本体の口部に螺合又は嵌合される内筒と、係合溝を有する外筒と、前記内筒から上に伸びるノズル部とから成り、
（ｂ）前記蓋体基部は、キャップ本体のノズル部外周に、回転自在に係合される円形係合部を有し、
（ｃ）前記蓋体は、その中心に針体を有することを特徴とするヒンジキャップ付容器。
【請求項２】
前記蓋体は、引張帯付ヒンジを中心として、１８０°以上の大きな角度で開くと共に、キャップ本体の係合溝を乗越える際に、係合感を付与する係合突起を有することを特徴とする請求項１記載のヒンジキャップ付容器。
【請求項３】
前記引張帯付ヒンジに代えて、通常のヒンジを用いたことを特徴とする請求項１又は２記載のヒンジキャップ付容器。
【請求項４】
前記蓋体が、針体を有しないことを特徴とする請求項１乃至３記載のヒンジキャップ付容器。
【請求項５】
前記容器本体が、口部に閉鎖膜を有することを特徴とする請求項１乃至４記載のヒンジキャップ付容器。
【請求項６】
前記キャップ本体と、容器本体が一体成形で形成されることを特徴とする請求項１乃至５記載のヒンジキャップ付容器。
【請求項７】
前記容器本体が、ラミネートチューブ容器、アルミチューブ容器、樹脂チューブ容器
又はボトル容器から１つ選ばれる容器であることを特徴とする請求項１乃至６記載の
ヒンジキャップ付容器。
【発明の詳細な説明】
【技術分野】
【０００１】
本発明は、チューブ容器又はボトル容器（以下「容器本体」という）の口部に装着されるヒンジキャップ付容器に関し、さらに詳しくは、蓋体が大きく開いて蓋体基部又は容器本体の側部に係合感をもって固定され、かつ容器本体と蓋体の位置決めが容易にできる、ヒンジキャップ付容器に関する。
【背景技術】
【０００２】
従来、容器本体の口部には、ヒンジキャプが螺合、嵌合等の方法で装着されており、片手の指でワンタッチ操作で、蓋体の開閉自在が可能であり、かつ開けた蓋体を固定できる機能を有する容器がある。従来のヒンジキャップ付容器としては、例えば図１０〜図１３に示すヒンジキャップ付容器がある。ヒンジキャップ５０は、容器本体５１の口部５２に螺合され、口部５２には、ヒンジキャップ５０の天面に形成されたフランジ部を有する注出口５８が嵌合されている。このフランジ部を有する注出口５８は、蓋体５４の係合筒５３により、内容物が抽出自在に開閉される。このヒンジキャップ５０は、本体と蓋体５４とから構成され、図１０に示すように、ヒンジキャップ５０本体と蓋体５４は、ヒンジ５５で一体に連結されている。そして、図１２及び図１３に示すように、ヒンジ５５の下方であって、ヒンジキャップ５０本体の側面壁には、外方に突出した本体係止部５６が形成され、又蓋体５４の左右のヒンジ５５の間隙には、上方に突出した蓋係止部５７が形成されており、蓋体５４を開けると、ヒンジ５５を中心に蓋体５４は回転し、本体係止部５６と蓋係止部５７が係合する。そして、蓋体５４は本体係止部５６に係合し固定される（特許文献１参照）。
【特許文献１】特許第３３８７０３５号公報
【発明の開示】
【発明が解決しようとする課題】
【０００３】
しかし、このような従来のヒンジキャップ付容器は、以下に示すような問題点がある。
（１）図１３に示すように、蓋体５４には、左右のヒンジ５５の間に、上方に突出した蓋係止部５７が形成され、又ヒンジ５５の下方のヒンジキャップ５０本体の側面壁には、本体係止部５６が形成されているため、このようなヒンジキャップ５０においては、蓋係止部５７と本体係止部５６を形成する製造金型の関係上、ヒンジキャップ５０本体と蓋体５４の連結部に、引張帯付ヒンジを形成することが不可能であり、ヒンジ５５も、その中央部を開けて、両側に分離して設けなければならないとう欠点がある。
（２）ヒンジキャップ５０本体と、蓋体５４を連結しているのは、中央部を開けて両側に分離されたヒンジ５５であり、引張帯が設けられていないため、図１１に示すように、最初に指で蓋体５４を上方に持ち上げて開いた場合に、蓋体５４はわずか８０〜９０°程度（図１１の角度α）に開くが、自動的に大きく開かないないため、蓋体５４が邪魔になり内容物の取出し操作が視覚的に見えないという欠点がある。
（３）一般消費者が、手で容器本体を持ったときに、開けやすい方向に蓋体を回動することができないため、容器本体と蓋体の位置合わせができず、使い勝手が悪いという欠点があった。
本発明は、このような課題に着目してなされたものであり、蓋体と蓋体基部の連結部に、引張帯付ヒンンジを一体的に設けることにより、ヒンジキャップの蓋体が、大きく開くことにより、邪魔にならず、内容物の取出し操作が容易に見えると共に、蓋体が蓋体基部又は容器本体の側部に係合感をもって固定され、かつ開けやすい方向に蓋体を回転して、容器本体との位置合わせが容易にできる、ヒンジキャップ付容器を提供することを目的とする。
【課題を解決するための手段】
【０００４】
この課題を解決するため、請求項１記載の発明の解決手段は、容器本体の口部に装着されるヒンジキャップのキャップ本体と、このキャップ本体に回転自在に取付られる蓋体基部と、この蓋体基部と引張帯付ヒンンジを介して連結され、引張帯付ヒンジを支点としてキャップ本体の開口部を開閉する蓋体とから成り、（ａ）キャップ本体は、容器本体の口部に螺合又は嵌合される内筒と、係合溝を有する外筒と、内筒から上に伸びるノズル部とから成り、（ｂ）蓋体基部は、キャップ本体のノズル部外周に、回転自在に係合される円形係合部を有し、（ｃ）蓋体は、その中心に針体を有することを特徴とするヒンジキャップ付容器である。
【０００５】
請求項２記載の発明の解決手段は、蓋体は、引張帯付ヒンジを中心として、１８０°以上の大きな角度で開くと共に、キャップ本体の係合溝を乗越える際に、係合感を付与する係合突起を有することを特徴とするヒンジキャップ付容器である。
【０００６】
請求項３記載の発明の解決手段は、引張帯付ヒンジに代えて、通常のヒンジを用いたことを特徴とするヒンジキャップ付容器である。
【０００７】
請求項４記載の発明の解決手段は、蓋体が、針体を有しないことを特徴とするヒンジキャップ付容器である。
【０００８】
請求項５記載の発明の解決手段は、容器本体が、口部に閉鎖膜を有することを特徴とするヒンジキャップ付容器である。
【０００９】
請求項６記載の発明の解決手段は、キャップ本体と容器本体が一体成形で形成されることを特徴とするヒンジキャップ付容器である。
【００１０】
請求項７記載の発明の解決手段は、容器本体が、ラミネートチューブ容器、アルミチューブ容器、樹脂チューブ容器又はボトル容器から１つ選ばれる容器であることを特徴とするヒンジキャップ付容器である。
【発明の効果】
【００１１】
本発明によれば、蓋体と蓋体基部の連結部に、引張帯付ヒンジを一体的に設けることが可能であり、引張帯付ヒンジを中心に、大きな角度で開くことができると共に蓋体を固定できるので、内容物の取出し操作が頗る見えやすいという効果を有する。さらに、開けやすい方向に蓋体を回転して、容器本体との位置合わせが容易であるという効果を奏する。
【発明を実施するための最良の形態】
【００１２】
以下、本発明の実施例の一例を図面に基づいて説明する。
【実施例１】
【００１３】
図１及び図２は、本発明の実施例１を示す図面である。図１及び図２において、１はチューブ容器又はボトル容器である容器本体であり、圧搾可能な胴部から肩部を介して、口部２が形成され、口部２の外周には雄ねじが形成されている。３はヒンジキャップである。このヒンジキャップ３は、キャップ本体４、蓋体基部５、及び蓋体６から構成されている。容器本体１の口部２には、キャップ本体４の内筒１０が、螺合又はアンダーカット形式で嵌合することにより、ヒンジキャップ３は容器本体１の口部２に確実に固定されている。図５及び図６に示すように、蓋体基部５と蓋体６は、蓋体６の外周縁に形成された外壁８と、蓋体基部５の外周縁に形成された外筒９が、引張帯付ヒンンジ７によって連結されている。そして、引張帯付ヒンジ７を中心に回動し、キャップ本体４のノズル部１４の開口部を開閉する。なお、蓋体基部５と蓋体６は、一つの金型で一体成形で製造される。
【００１４】
キャップ本体４には、容器本体１の口部２外周の雄ねじと螺合する、雌ねじが形成された内筒１０と、その外側に外筒１１が形成されている。そして、外筒１１の天面部上面には、係合溝１２がリング状に形成されている。この係合溝１２には、図７（ａ）（ｂ）に示すように、蓋体６に形成された係合突起１３が、キャップ本体４の係合溝１２の壁１２ａを乗り越えて係合した時に、係合感を発生させる。図７（ａ）は係合突起１３が、乗り越える前を示す拡大断面図であり、図７（ｂ）は係合突起１３が、乗り越えた後を示す拡大断面図である。そして、係合突起１３が、係合溝１２の壁１２ａを乗り越えると同時に、蓋体６はキャップ本体４の外筒１１の側部に固定される。
【００１５】
又キャップ本体４には、内筒１０から上方に伸びるノズル部１４が形成され、ノズル部１４の開口部は、蓋体６のフランジ状の嵌合筒１５が嵌合されることにより、ノズル部１４の開口部が閉鎖される。そして、蓋体６を手で開くことにより、ノズル部１４の開口部が開放される。蓋体６のフランジ状の嵌合筒１５の天面反対側には、針体１８が形成されている。なお、図３の実施例２に示すように、針体が形成されない態様であってもよい。
さらに、ノズル部１４の外周に形成される口部突部１６には、蓋体基部５の円形係合部１７が回動自在に係合されており、片方の手で容器本体１及びキャップ本体４を保持し、反対の手で、蓋体６と蓋体基部５を所望の位置に自由に回動することができる。この際、蓋体基部５は、キャップ本体４の天面上を円周方向に、スライドしながら回動する。
【００１６】
本発明は、図５に示すように、蓋体６を手で少し持ち上げるようにして開くと、蓋体６は引張帯付ヒンンジ７を中心に、角度βに近い角度だけ自動的に開く。そして、蓋体６を指でキャップ本体４の外筒１１に押しつける。すると、蓋体６に形成された係合突起１３が、キャップ本体４の係合溝１２の壁１２ａを乗り越えるように係合した時に、係合感を発生させ、この係合感と同時に、蓋体６は角度βだけ大きく開いて固定される。
【００１７】
このように、実施例１は、金型の設計上、蓋体基部５と蓋体６の連結において、従来のように連結部近傍に相互の係合突起を形成しないで、引張帯付ヒンンジ７を一体的に設けたので、蓋体６を指で少し持ち上げるだけで、引張体の作用により、蓋体６は自動的に大きく開く。すなわち、最初に蓋体６を指で少し持ち上げると５〜４５°開き、次に引張体１０の蓋体６を上方向に強く引っ張る作用により、１２０〜１５５°開き、最終的に手で蓋体６をβ＝１８０〜２７０°に大きく開いて固定でき、かつ蓋体６がキャップ本体４の外筒１１に確実に固定される。したがって、内容物の取り出し作業を、視覚的に容易に把握することができる。
【実施例２】
【００１８】
図６は、本発明の実施例２を示す図面である。実施例１と異なるのは、ヒンジキャップの蓋体に、針体が形成されていない実施例である。蓋体２６を手で少し持ち上げるようにして開いた場合、図６に示すように、蓋体２６は引張帯付ヒンンジを中心に、針体のない分だけ、実施例１の角度βより若干大きい角度だけ大きく開いて固定される。蓋体２６は、図６に示すように、実施例１と同様に、最初に蓋体２６を指で少し持ち上げると５〜４５°開き、次に引張体の蓋体２６を上方向に強く引っ張る作用により、１２０〜１５５°開き、最終的に手で蓋体２６をγ＝１８０〜２７０°に大きく開いて固定でき、かつ蓋体２６は容器本体２１の胴部に確実に固定される。したがって、内容物の取り出し作業を、視覚的に容易に把握することができる。
【実施例３】
【００１９】
図４は、本発明の実施例３を示す図面であり、この実施例の特徴は、キャップ本体４と、容器本体１が一体成形で形成される場合の実施例である。この実施例３においては、針体３８を有する実施態様と、針体３８を有しない実施態様（図示せず）が考えられる。蓋体及び蓋体基部の構成は、実施例１と同様である。
【００２０】
容器本体は、ラミネートチューブ容器、アルミチューブ容器、樹脂チューブ容器又はボトル容器のいずれであってもよく、又内容物が薬剤等の使用であって、保存性が必要とされる場合は、容器本体の口部に閉鎖膜が形成された実施態様であってもよく、内容物が保存性を要求されない場合は、閉鎖膜のない通常の口部を有する実施態様であってもよい。
なお、閉鎖膜を有する容器本体においては、ヒンジキャップを容器本体から外し、針体を逆さにして、使用時に封緘蓋を上から穿孔することにより、内容物を抽出することができる。
【００２１】
図９は、本発明にかかわる引張帯付ヒンジ７を示す斜視図であり、本発明にかかる蓋体６と蓋体基部５の連結は、図８に示す引張帯付ヒンンジ７の他、図９（ａ）及び（ｂ）に示す通常のヒンジ３７、４７であってもよい。図８に示す引張帯付ヒンジ７は、ヒンジ７ａと、その両側に引張帯７ｂが形成され、又引張帯付ヒンジに代えた図１０に示す通常のヒンジとしては、図９（ａ）に示すヒンジ３７と、図９（ｂ）に示す２個のヒンジ４７が設けられてもよい。これらのヒンジには引張帯が設けられていない。
【産業上の利用可能性】
【００２２】
本発明に係るヒンジキャップ付容器は、広く化粧品、食品、医薬品等を充填できるチューブ又はボトル容器として、広く多岐にわたって利用することができる。
【図面の簡単な説明】
【００２３】
【図１】本発明に係るヒンジキャップ付容器の実施例１を示す斜視図。
【図２】本発明に係るヒンジキャップ付容器の実施例１を示す正面断面図。
【図３】本発明に係るヒンジキャップ付容器の実施例２を示す正面断面図。
【図４】本発明に係るヒンジキャップ付容器の実施例３を示す正面断面図。
【図５】本発明に係るヒンジキャップ付容器の実施例１において、蓋体を開いて固定した状態を示す正面断面図。
【図６】本発明に係るヒンジキャップ付容器の実施例２において、蓋体を開いて固定した状態を示す正面断面図。
【図７】本発明に係るヒンジキャップ付容器の係合溝と係合突起が係合する状態を示す拡大断面図（ａ）（ｂ）。
【図８】本発明に係るヒンジキャップ付容器において、引張帯付ヒンジを示す斜視図。
【図９】本発明に係るヒンジキャップ付容器において、通常のヒンジを示す斜視図（ａ）（ｂ）。
【図１０】従来のヒンジキャップ付容器を示す右側面断面図。
【図１１】従来のヒンジキャップ付容器の蓋体を開いた状態を示す右側面断面図。
【図１２】従来のヒンジキャップ付容器のヒンジの部位を示す背面図。
【図１３】従来のヒンジキャップ付容器において、ヒンジの部位を示す拡大斜視図。
【符号の説明】
【００２４】
１、２１、３１  容器本体
２、２２  口部
３、２３、３３  ヒンジキャップ
４、２４  キャップ本体
５、２７、３５  蓋体基部
６、２６、３６  蓋体
７  引張帯付ヒンンジ
１０  内筒
１１  外筒
１２  係合溝
１３  係合突起
１４  ノズル部
１７  円形係合部
１８  針体
１９  閉鎖膜
３７、４７  ヒンジ
【図１】
2009184709.tif 000003
【図２】
2009184709.tif 000004
【図３】
2009184709.tif 000005
【図４】
2009184709.tif 000006
【図５】
2009184709.tif 000007
【図６】
2009184709.tif 000008
【図７】
2009184709.tif 000009
【図８】
2009184709.tif 000010
【図９】
2009184709.tif 000011
【図１０】
2009184709.tif 000012
【図１１】
2009184709.tif 000013
【図１２】
2009184709.tif 000014
【図１３】
2009184709.tif 000015